(57)【要約】【課題】  品物に対して取付け或いは取り外しが簡単で、製造費用が安価な梱包用補助部材の提供。【解決手段】  肉厚寸法を３ｍｍ〜６ｍｍとなした積層板紙の片辺を５０ｍｍ〜１５０ｍｍで、且つ長さ寸法を５０ｍｍ〜５０００ｍｍとなしたＬ型アングルに形成すると共に、上記Ｌ型アングルの片辺若しくは両辺の適当距離に対し幅寸法３ｍｍ〜５ｍｍで深さ寸法を２ｍｍ〜５ｍｍとなしたＶ溝を、その長さ方向へ平行に少なくとも１本或いは複数本並設させる。【選択図】      図１
0003113632.tif 000002
【実用新案登録請求の範囲】
【請求項１】
肉厚寸法を３ｍｍ〜６ｍｍとなした積層板紙の片辺を５０ｍｍ〜１５０ｍｍで、且つ長さ寸法を５０ｍｍ〜５０００ｍｍとなしたＬ型アングルに形成すると共に、上記Ｌ型アングルの片辺若しくは両辺の適当距離に対し幅寸法３ｍｍ〜５ｍｍで深さ寸法を２ｍｍ〜５ｍｍとなしたＶ溝を、その長さ方向へ平行に少なくとも１本或いは複数本並設させたことを特徴とする梱包用補助部材。
【請求項２】
Ｖ溝をＬ形アングルの隅角箇所から３０ｍｍ〜５０ｍｍの範囲に設けることを特徴とする請求項１記載の梱包用補助部材。
【請求項３】
上記Ｖ溝を３０ｍｍ〜５０ｍｍの間隔で複数並列させるものとなしたことを特徴とする請求項１又は２記載の梱包用補助部材。
【考案の詳細な説明】
【技術分野】
【０００１】
本考案は、積層板紙の梱包用補助部材に関するものである。
【背景技術】
【０００２】
従来から、積層板紙を包装用保護や補強用として各種の形に成型したものが使用されている。例えば図９に示すものは、積層板紙を断面Ｌ字形に成型したもので板状品物の角や端部に取付けて使用するＬ型アングルである。図１０に示すものは、積層板紙を断面Ｕ字形に成型したもので板状品物の角や端部に取付けて使用するＵ型プロテクターである。これらのものは積層板紙を金型の使用で一度にＬ型或いはＵ型に成形されるのである。また、図１１に示す如き角柱のものは四角柱の金型の外周に帯紙ｓを斜め方向へ巻き付けるようにして作成するのであって手間を要するものとなっている。
ところで、上記した従来の包装保護材は各種寸法による大きさのものを、幾種類も用意する必要があり、製造費用が多くかかるほか、保管場所や取扱いに不便を生じさせるものとなっている。
【特許文献１】特開平９−２２６７４２号
【考案の開示】
【考案が解決しようとする課題】
【０００３】
そこで、本考案は、係る問題点を解決すべく、品物に対して取付け或いは取り外しが簡単で、製造費用が安価な梱包用補助部材の提供を目的とするものである。
【課題を解決するための手段】
【０００４】
本考案に係る梱包用補助部材は、肉厚寸法を３ｍｍ〜６ｍｍとなした積層板紙の片辺を５０ｍｍ〜１５０ｍｍで、且つ長さ寸法を５０ｍｍ〜５０００ｍｍとなしたＬ型アングルに形成すると共に、上記Ｌ型アングルの片辺若しくは両辺の適当距離に対し幅寸法３ｍｍ〜５ｍｍで深さ寸法を２ｍｍ〜５ｍｍとなしたＶ溝を、その長さ方向へ平行に少なくとも１本或いは複数本並設させたことを特徴とする。この際、Ｖ溝をＬ形アングルの隅角箇所から３０ｍｍ〜５０ｍｍの範囲に設けたり、Ｖ溝を３０ｍｍ〜５０ｍｍの間隔で複数並列させるものとなしたりする。
【考案の効果】
【０００５】
本考案は以上の通り構成するものであって、積層板紙をＬ型アングルに形成すると共に、上記Ｌ型アングルの片辺若しくは両辺の適当距離に対しＶ溝をその長さ方向に平行に少なくとも１本設けた構成になしてあり、従って該Ｖ溝箇所で適宜折り曲げて断面Ｕ字型に変形して使用できるものとなる。具体的には、梱包用補助部のＬ型アングルの隅角箇所を、板状品物の角の１つに合わせ、その後上記Ｖ溝箇所を適宜折り曲げて品物に取付けることができるので、素速く取付けることができるものとなるのである。この際、Ｖ溝をＬ形アングルの隅角箇所から３０ｍｍ〜５０ｍｍの範囲に設けたことは、市販で多用される板状物に対し迅速且つ好適な対応を可能ならしめる上で著効がある。
【０００６】
請求項３記載の構成によると、各Ｖ溝箇所で折り曲げて断面四角状に変形して使用できるのである。したがって、梱包用補助部材のＬ型アングルの隅角箇所を、角状品物の角の１つに合わせ、その後Ｖ溝で折り曲げて品物を包むことができるので、素速く包むことができ、且つ対合面はテープなどで留めておけば簡単に固定でき、しかも外すときもテープを外せばすぐに品物を出すことができるものとなるのである。この際、Ｖ溝をＬ形アングルの隅角箇所から３０ｍｍ〜５０ｍｍの範囲に設けたり、Ｖ溝を３０ｍｍ〜５０ｍｍの間隔で複数並列させたことは、市販で多用される筒状体に対し、簡便な対応を可能ならしめる上で著効を奏するものとなる。
【考案を実施するための最良の形態】
【０００７】
以下、図面に示す実施の形態について説明する。
図１は本考案に係る梱包用補助部材の斜視図で、図２は図１の側面図で、図３は図２のＶ溝の部分拡大図で、図４は板状品物の端部に取付けた状態の斜視図である。
【０００８】
本考案に係る梱包用補助部材１は、積層板紙であって、肉厚寸法ｔ１を３ｍｍ〜６ｍｍ、長さ寸法Ｌを５０ｍｍ〜５０００ｍｍ、片辺ｈ１を５０ｍｍ〜１５０ｍｍとなしたＬ型アングル２からなる。即ち、紙を複数枚重ね、該紙間は接着剤で接着された積層板紙をそろばん玉型の成型ローラーに入れ前方に押し出して、断面Ｌ型に成型したＬ型アングル２を作成する。このＬ字形に成型した箇所は固定された状態となす。
【０００９】
Ｌ型アングル２の片辺に対し、長さ方向へ平行に、断面がＶ字形となしたＶ溝３を設ける。このさい該Ｖ溝３は幅寸法ｗを３ｍｍ〜５ｍｍ、深さ寸法ｔ２を２ｍｍ〜５ｍｍとなし、Ｌ型アングルの隅角箇所２ａからの距離ｈ２を３０ｍｍ〜５０ｍｍの範囲となす。該Ｖ溝３により折り曲げ可能となり、梱包用補助部材１を断面Ｕ字形に容易に折り曲げることができる。そして、図４に示す如く、梱包用補助部材１を板状品物４の端部に当接させると共に、適宜バンド５などで締め付けたりするのである。このように本例の梱包用補助部材１を使用すると、Ｌ型アングルの隅角箇所２ａを、板状品物４の角の１つに合わせ、その後Ｖ溝３を折り曲げて品物４に取付けることができるので、素速く取付けることができるものとなるのである。
【００１０】
図５は他の例の梱包用補助部材の説明図で、図６は図５の斜視図で、図７は品物に巻き付けた状態の斜視図である。本例の梱包用補助部材１’は、前例同様にＬ型アングル２’からなる。
【００１１】
Ｌ型アングル２’の両辺に対し、長さ方向へ平行に、断面がＶ字形のＶ溝６及び７を設ける。該Ｖ溝６及び７は前例と同様に幅寸法を３ｍｍ〜５ｍｍ、深さ寸法を２ｍｍ〜５ｍｍとなし、Ｌ型アングルの隅角箇所２’ａからの距離ｈ３及びｈ４が３０ｍｍ〜５０ｍｍの範囲箇所に穿設される。而して該Ｖ溝６及び７により内方へ折り曲げ可能となされるのであり、これにより断面四角形状に折り曲げることができる。図７はこの状態を示すもので、細長い品物８の外周に巻き付け、且つその適所をテープ９などで貼着させ保護させるのである。
【００１２】
図８は更に他の例の梱包用補助部材の説明図であり、Ｌ型アングル２”の片辺は、長さ方向へ平行に、断面がＶ字形のＶ溝６”と７”の２箇が穿設してある。該Ｖ溝６”及び７”は前例と同様にその幅寸法は３ｍｍ〜５ｍｍ、深さ寸法を２ｍｍ〜５ｍｍであり、且つこのさいＶ溝６”はＬ型アングルの隅角箇所２”ａからの距離ｈ５が３０ｍｍ〜５０ｍｍの範囲であり、Ｖ溝７”はＶ溝６”が設けられた箇所から同じくその距離ｈ６を３０ｍｍ〜５０ｍｍとして設けてある。而して、これら該Ｖ溝６”及び７”箇所で互いに内方へ向けて折り曲げることで、前例同様に角筒の梱包用補助部材１”として使用できるようにするのである。
【図面の簡単な説明】
【００１３】
【図１】本考案に係る梱包用補助部材の斜視図である。
【図２】図１の側面図である。
【図３】図２のＶ溝の部分拡大図である。
【図４】板状品物の端部に取付けた状態の斜視図である。
【図５】他の例の梱包用補助部材の斜視図である。
【図６】図４の側面図である。
【図７】品物に巻き付けた状態の斜視図である。
【図８】更に他の例の梱包用補助部材の斜視図である。
【図９】Ｌ型アングルの斜視図である。
【図１０】Ｕ型プロテクターの斜視図である。
【図１１】角紙管の斜視図である。
【符号の説明】
【００１４】
１、１’、１”    梱包用補助部材
２、２’、２”    Ｌ型アングル
２ａ、２’ａ、２”ａ  Ｌ型アングルの隅角箇所
３    Ｖ溝
４    板状品物
５    ベルト
６、７、６”、７”    Ｖ溝
８    品物
９    テープ
１０  Ｌ型アングル
１１  Ｕ型プロテクター
１２  角紙管
【図１】
0003113632.tif 000003
【図２】
0003113632.tif 000004
【図３】
0003113632.tif 000005
【図４】
0003113632.tif 000006
【図５】
0003113632.tif 000007
【図６】
0003113632.tif 000008
【図７】
0003113632.tif 000009
【図８】
0003113632.tif 000010
【図９】
0003113632.tif 000011
【図１０】
0003113632.tif 000012
【図１１】
0003113632.tif 000013